(57)【特許請求の範囲】
【請求項１】
複数の遊技機とカードユニットとを並設して遊技機列を形成し、該遊技機列の遊技機を背中合せに二列配置することで遊技機管理単位体を構成するとともに、
前記各遊技機列の上部でかつ遊技機の並設方向に紙幣識別機を経て投入された紙幣を収納金庫に搬送する為の紙幣搬送路を設け、
前記遊技機列の遊技機の並設方向にカード搬送路を設けたものであって、
前記識別された紙幣の額に対応したカードを発行する発券装置を、前記遊技機管理単位体の端部に設け、
前記発券装置からのカードを、前記カード搬送路を経て遊技機列の前面に設けたカード取出口まで搬送し、
前記遊技機管理単位体には、前記カード搬送路と平行にパンチ片回収路が配置された
ことを特徴とする遊技場におけるカード発券、券売システム。
【請求項２】
前記パンチ片回収路の一端は、
前記遊技機管理単位体の端部に設けたパンチ片回収箱に接続されたことを特徴とする請求項１記載の遊技場におけるカード発券、券売システム。
【請求項３】
前記パンチ片回収路は、前記カード搬送路の下に添設されていることを特徴とする請求項１または２記載の遊技場におけるカード発券、券売システム。
【発明の詳細な説明】
【０００１】
【発明の属する技術分野】
本発明は遊技機管理単位体内にてカードを発券しかつ券売する為のシステムに関する。
【０００２】
【従来の技術】
遊技場においては、図７に示す如く、並設された複数の遊技機１０１とこの遊技機１０１間にサンドイッチ状にはさまれた台間貸機１０２により遊技機列１１０が形成され、この遊技機列１１０、１１０を形成する遊技機１０１、１０１を背中合せに二列配置して遊技機管理単位体１００が構成される。
この遊技機管理単位体１００は、通称「島」と呼ばれ、「島」毎にメダル、パチンコ玉の補給、回収、研磨が行われる。遊技場内ではその広さに応じて複数の「島」が配置される。
【０００３】
斯かる「島」中には券売機１０３が設けられるとともに「島」端に券売装置１２０が設けられている。
遊技場に入場した遊技者は、前記券売機１０３か又は券売装置１２０に所定金額を投入してカードを購入し、このカードを台間貸機１０２に投入して遊技を行う。
【０００４】
【発明が解決しようとする課題】
遊技者がカードの容量を消費して新たにカードを求める場合には、通常「島」中の券売機１０３で行う。
しかし「島」中の券売機１０３は、遊技機列１１０中になるべく多くの遊技機１０１を配置したいという配慮から、小型化すなわち、小額の金種、例えば１，０００円紙幣のみを受入れるものになっている。
その為、他の金種紙幣例えば５，０００円、１０，０００円の紙幣を使用する者は、一旦遊技機１０１から「島」端の券売装置１２０や、「島」から離れて配置された券売機まで移動しなくてはならず、不都合であった。
【０００５】
上記の不都合を解決すべく、「島」中の券売機１０３を多金種紙幣に対応する機構とする考えはあるが、この機構を取り入れた場合券売機１０３自体が大型化し、具体的には遊技機列１１０中の遊技機１０１の台数を減らすことにもなり、遊技場の有効利用を損なうことになる。
一方、投入された紙幣は、券売機１０３、券売装置１２０毎に収納される為、金種紙幣の補充、回収等に手間がかかり、さらにカードのパンチ片処理や使用済みカードの回収が十分でなく、遊技機のメンテナンスや遊技場の清掃等に支障をきたしていた。
【０００６】
そこで本発明は、遊技者が券売機まで移動することなく、遊技を続行したままでも各金種の紙幣にてカードが購入でき、さらには投入紙幣の回収や使用済みカードの回収処理、パンチ片の処理に好適なカード発券、券売システムを提供することを目的とする。
【０００７】
【課題を解決するための手段】
本発明の遊技場におけるカード発券、券売システムは、上記の課題を解決するため、複数の遊技機とカードユニットとを並設して遊技機列を形成し、該遊技機列の遊技機を背中合せに二列配置することで遊技機管理単位体を構成するとともに、前記各遊技機列の上部でかつ遊技機の並設方向に、紙幣識別機を経て投入された紙幣を収納金庫に搬送する為の紙幣搬送路を設け、前記遊技機列の遊技機の並設方向にカード搬送路を設けたものであって、前記識別された紙幣の額に対応したカードを発行する発券装置を、前記遊技機管理単位体の端部に設け、前記発券装置からのカードを、前記カード搬送路を経て遊技機列の前面に設けたカード取出口まで搬送し、前記遊技機管理単位体には、前記カード搬送路と平行にパンチ片回収路が配置されたことを特徴とする。
【０００８】
また、本発明の遊技場におけるカード発券、券売システムは、前記パンチ片回収路の一端が、前記遊技機管理単位体の端部に設けたパンチ片回収箱に接続されたものであってもよい。
さらには、前記パンチ片回収路が、前記カード搬送路の下に添設されているものであってもよい。
【０００９】
【発明の実施の形態】
図例により本発明のカード発券、券売システムを説明する。
図１は第一の実施形態における遊技機管理単位体１の正面図であり、図２は同斜視図である。
この遊技機管理単位体１は、従来例でも説明した通り、複数の遊技機１１とそれによりサンドイッチ状にはさんだカードユニット１２とを並設して一対の遊技機列１０、２０を形成し、これら両遊技機列１０、２０を、それぞれの遊技機を背中合せに配置してなるものである。
【００１０】
遊技機１１としてはメダル対応のもの、すなわちスロットマシンである。
斯かる遊技機列１０、２０の上部には、並設方向すなわち並設された遊技機１１と平行に紙幣搬送路３０、（３０）が夫々配置されている。
そして同上部にはこの紙幣搬送路３０から搬送される紙幣を収納する為の金庫３１、（３１）が夫々設けられている。
さらにこの紙幣搬送路３０と接続した状態で紙幣識別機（通称ビルバリ）１２ａが設けられている。
図例においてこのビルバリ１２ａは２台の遊技機１１に対し１基の割合で設けられている。
【００１１】
又紙幣搬送路３０は、投入された紙幣をタテ振れなどから防ぎ安定した搬送を行う為、水平コンベアにて構成される。
一方、各遊技機列１０、２０には、前記紙幣搬送路３０と略平行にそれぞれカード搬送路４０、４０が設けられ、この両カード搬送路４０、４０は、所謂「島」端側にて連結し、この「島」端に設けた発券装置５０と接続する。
発券装置５０には、繰出機５１、５２、５３が設けられ、例えば繰出機５１では１０，０００円の額のカードが、同繰出機５２では５，０００円、同繰出機５３では３，０００円の額のカードが繰り出される。
【００１２】
尚、各繰出機５１、５２、５３にストックされたカードは生カードであって、予め各金種に対応した記憶処理がされたものではなく、繰り出される際に、投入紙幣の金額を識別したビルバリ１２ａからの信号により直接カードに記憶される。
さらに遊技機管理単位体１内には、並設方向にメダル回収路６０とパンチ片回収路７０が設けられる。
メダル回収路６０では各遊技機１１から排出されたメダルを研磨等の為所定の貯留場所まで搬送する為のものである。
【００１３】
又パンチ片回収路７０は、カードの使用残量を刻印（パンチング）する際発生したパンチ片を収納し、この回収路から島端に設けたパンチ片回収箱７１に強制的に集塵する。
これにより、パンチ片の入り込みによる遊技機１１の故障や飛散による遊技場の汚れは防がれる。
上記遊技機列１０、２０には、必要に応じて、例えば遊技場が十分広くて、それ程遊技機１１の数を必要としない場合などに、紙幣両替機１３を組み込んでおくこともできる。
【００１４】
次に上記システムの発券、券売の実際を説明する。
まず遊技者は、遊技する遊技機１１を選択し、この遊技機１１に隣接されたカードユニット１２上のビルバリ１２ａにカード購入の紙幣例えば５，０００円を投入する。
するとビルバリ１２ａではこの金種（５，０００円）を識別し、この識別信号を発券装置５０に送る。
すると発券装置５０内の繰出機５２では生カードに金種（５，０００円）に対応した使用量の記録を行い、カード搬送路４０まで繰り出す。
【００１５】
カード搬送路４０は繰り出されたカードを挟んだ状態で安定搬送し、上記ビルバリ１２ａに対応するカード取出口１２ｂへ排出する。
遊技者は、このカードを取り込み、カードユニット１２の投入口１２ｃに投入して遊技する。
遊技が終了し、カードが排出される際に、使用残量の目印としてカードは刻印され、この刻印により発生したパンチ片は、パンチ片回収路７０内に強制的に圧送され回収箱７１にて集塵される。
一方投入された紙幣は、上記ビルバリ１２ａから紙幣搬送路３０に取り込まれ、紙幣収納金庫３１内まで搬送される。
【００１６】
カードを購入するに際し、高額紙幣の両替を行う場合は、両替機１３にて所望の金種に両替し、これを上述の如く遊技機１１の近傍にあるビルバリ１２ａに投入すれば、前記同様発券装置にて投入紙幣に対応したカードが発行され、又この紙幣は収納金庫３１に収納される。
いずれにしても、遊技者は遊技機１１から移動することなくこの場にてカードを購入することができる。
【００１７】
図３は第二の実施形態を説明する正面図であり、図４は同斜視図である。
斯かる遊技機管理単位体１は、遊技機１４がパチンコ玉対応のものである。
この実施の形態では、遊技機１４がパチンコ台からなるものなので、両遊技機列１０、２０との間に一本のカード搬送路４０が設けられる。このカード搬送路４０は両遊技機列１０、２０側に後述のカード取出投入口１２ｄを振り分け配置する。
又カードユニット１２とビルバリ１２ａは各遊技機１４毎に対応して設けられている。
従ってカード搬送路４０からのカードは、カードユニット１２に設けたカード取出投入口１２ｄから取り出される。
【００１８】
カードを取り込むときも同取出投入口１２ｄに挿入される。
又本実施の形態においては、使用済みカード搬送路８０が、遊技機管理単位体１内でかつ前記カード搬送路４０と略平行に設けられている。
すなわち使用残量が零となったカードは、この使用済みカード搬送路８０に取り込まれ、端部に設けられたカード回収箱８１内に回収される。
これにより、使用済みカードの悪用防止や場内の清掃に役立つ。
尚紙幣の搬送やカードの発券は、第一の実施の形態と同様である。
【００１９】
図５は、第三の実施形態を示す正面図である。
この実施形態も、第二の実施形態と同様遊技機としてパチンコ台が用いられている。
そして異なる構成としては、上記のカード搬送路４０の下にパンチ片回収路７０を添設したものである。
すなわち、カード搬送路４０に添設されているので、パンチ片はパンチ片回収路７０内に直接取り込まれ、他に飛散することもなく、効率良くパンチ片回収箱７１に回収される。
尚、紙幣搬送路３０、発券装置５０、使用済みカード回収路８０の機能は他の実施形態で説明したものと同様である。
【００２０】
図６は、第四の実施形態を示す正面図である。
この実施形態も遊技機１４はパチンコ対応のものであり、しかもパチンコ対応であってもカード搬送路４０を第一の実施形態と同様遊技機列の各上部に配置したものである。
その為カード取出口１２ｂもビルバリ１２ａの近傍に設けられることになる。又発券装置９０は、他の実施形態と同様各金額に対応したカードの繰出機９１、９２、９３を有する。
【００２１】
さらに、券売機９４を併設し、この券売機９４に直接紙幣を投入して各繰出機９１、９２、９３から対応するカードを繰り出させ、取出口９５から取り出せる構成となっている。
これにより遊技機管理単位体１（島端）に近づいた状態で、又遊技機列を前にした状態でも各種金額のカードが発行され、購入することができる。
尚発券装置９０に投入された紙幣は装置内部の収納金庫９６に収納され管理の一括化が図られる。
【００２２】
【発明の効果】
以上説明した通り本発明のカード発券、券売システムによれば、遊技者は遊技機から移動することなく小額から高額の、いずれのカードも購入することができ、しかも購入と同時にそのカードを投入して遊技を継続させることが可能となる。
従って、単にカード購入の便宜が向上する丈でなく遊技が途中で中断されることがないので、遊技場へ入場した遊技者に十分な満足が与えられる。
その上パンチ片の飛散による遊技機の故障や使用済みカードの散乱、悪用等が防止でき、健全な遊技場を構成することができる。
【図面の簡単な説明】
【図１】本発明の第一実施形態を示す正面図である。
【図２】同システムの斜視図である。
【図３】本発明の第二実施形態を示す正面図である。
【図４】同システムの斜視図である。
【図５】本発明の第三実施形態を示す正面図である。
【図６】本発明の第四実施形態を示す正面図である。
【図７】従来の遊技機管理単位体を示す正面図である。
【符号の説明】
１  遊技機管理単位体
１０、２０  遊技機列
１１、１４  遊技機
３０  紙幣搬送路
４０  カード搬送路
５０、９０  発券装置
７０  パンチ片回収路
８０  使用済みカード搬送路
【図１】
0004021504.tif 000002
【図２】
0004021504.tif 000003
【図３】
0004021504.tif 000004
【図４】
0004021504.tif 000005
【図５】
0004021504.tif 000006
【図６】
0004021504.tif 000007
【図７】
0004021504.tif 000008